(57)【特許請求の範囲】
【請求項１】
本体を含み、前記本体の右側には洗浄キャビネットが固定的に設置され、前記本体の底側にはベースが設置され、前記洗浄キャビネットの中には右方に開口した洗浄空間が設置され、前記洗浄空間の中にはフィルターを掴み取れるフック装置が設置され、前記フック装置は前記洗浄空間の左壁に固定的に装着された駆動モータを含み、前記駆動モータの中には親ねじスリーブが伝動可能に連結され、前記親ねじスリーブの中にはモータ親ねじがねじ山により連結され、前記モータ親ねじの右側には横移動ブロックが固定的に設置され、貫通空間が前記横移動ブロックを上下方向から貫通しており、前記貫通空間の前後壁には回転軸が上下対称になるように且つ回転可能に連結され、前記回転軸には回転歯車が上下対称になるように且つ固定的に連結され、各前記回転軸の前後側にはフックが対称になるように且つ固定的に設置され、前記貫通空間の左側にはスライド空間が設置され、前記横移動ブロックの右面と、前記貫通空間の左右壁と、前記スライド空間の右壁とが摺動可能な移動ラックによって連結され、前記移動ラックの右側には押しブロックが固定的に設置され、前記移動ラックが前記回転歯車と噛み合っており、前記移動ラックの左側には押し板が固定的に設置され、前記押し板は前記スライド空間の左壁及び前記横移動ブロックの左面とスライド可能に連結され、前記洗浄空間の底壁には洗い空間が設置され、前記洗い空間の中にはフィルターを洗浄する洗浄装置が設置され、前記洗浄空間の頂壁には頂壁空間が設置され、前記頂壁空間の頂側には連動空間が設置され、前記連動空間と前記頂壁空間との間にはエアコンを拭くことができる拭き装置が設置され、前記洗浄空間の左側には伝動空間が上下対称になるように設置され、前記洗浄空間の左壁には抽気溝が上下対称になるように形成され、二つの前記抽気溝の左側は埃空間と連通しており、前記埃空間と前記洗浄空間との間には除塵を行える抽気装置が設置され、前記洗浄空間の後側には後側空間が設置され、前記後側空間の中には駆動装置が設置され、前記駆動装置は前記抽気装置、前記拭き装置及び前記洗浄装置の作動を駆動でき、前記ベースの中には油タンクが設置され、前記油タンクの右壁は液圧管路と連通しており、前記液圧管路の左側は頂部空間と連通しており、前記頂部空間、前記油タンク及び前記本体の間には昇降装置が設置され、前記昇降装置は前記本体及び前記洗浄キャビネットの昇降を駆動できることを特徴とする家事代行サービス会社向けのエアコン防塵機。
【請求項２】
前記洗浄装置は前記洗い空間の底側に設置された駆動空間を含み、前記駆動空間の後壁には伝動軸が回転可能に連結され、前記伝動軸の前側には第一自在継手が回転可能に連結され、前記第一自在継手の頂側には縦軸が回転可能に連結され、前記縦軸は前記駆動空間の頂壁及び前記洗い空間の底壁と回転可能に連結され、前記縦軸の頂側には洗浄桶が固定的に設置され、前記洗い空間の右壁には排水弁が固定的に設置されていることを特徴とする請求項１に記載の家事代行サービス会社向けのエアコン防塵機。
【請求項３】
前記拭き装置は前記連動空間の後壁に回転可能に装着された延伸軸を含み、前記延伸軸の前側には第二自在継手が回転可能に連結され、前記第二自在継手の底側には短軸が回転可能に連結され、前記短軸は前記連動空間の底壁及び前記頂壁空間の頂壁と回転可能に連結され、前記短軸の底側には前記頂壁空間とスライド可能に連結された楕円盤が回転可能に連結され、前記楕円盤の底側には下方に開口した楕円空間が設置され、前記頂壁空間の前後壁には連結スライドロッドが固定的に設置され、前記連結スライドロッドには拭きブロックが前後対称になるように且つスライド可能に連結され、前記拭きブロックの頂側には前記楕円空間とスライド可能に連結されたスライダが固定的に設置されていることを特徴とする請求項２に記載の家事代行サービス会社向けのエアコン防塵機。
【請求項４】
前記抽気装置は貫通軸を含み、前記貫通軸は前記伝動空間の後壁に上下対称になるように且つ回転可能に装着され、前記貫通軸の前側には第三自在継手が回転可能に連結され、前記第三自在継手の右側には横軸が回転可能に連結され、前記横軸は前記伝動空間の右壁及び前記洗浄空間の左壁と回転可能に連結され、前記横軸の右側には埃を抽出できるファンが固定的に設置され、前記埃空間の頂壁には取り外し可能な濾過蓋が設置されていることを特徴とする請求項３に記載の家事代行サービス会社向けのエアコン防塵機。
【請求項５】
前記駆動装置は前記後側空間の後壁に固定的に装着された動力モータを含み、前記延伸軸、前記貫通軸及び前記伝動軸は後方へ前記後側空間に伸びて前記後側空間の前壁と回転可能に連結され、前記伝動軸と前記動力モータとが伝動可能に連結され、前記延伸軸、前記貫通軸及び前記伝動軸がベルト機構によって連結されていることを特徴とする請求項４に記載の家事代行サービス会社向けのエアコン防塵機。
【請求項６】
前記昇降装置は前記油タンクの右壁に固定的に装着された油ポンプを含み、前記頂部空間の中には移動スライダがスライド可能に連結され、前記移動スライダの右面には前記液圧管路とスライド可能に連結された液圧スライドロッドが固定的に設置され、前記油タンクと前記液圧管路の中に作動油があり、前記移動スライダ及び前記ベースの頂面が前記本体の底面と昇降棒により連結されていることを特徴とする請求項１に記載の家事代行サービス会社向けのエアコン防塵機。
【発明の詳細な説明】
【技術分野】
【０００１】
本願発明は衛生分野を取り上げて、具体的には家事代行サービス会社向けのエアコン防塵機である。
【背景技術】
【０００２】
エアコンの洗浄は、エアコンのメンテナンスにおける肝心な部分であり、冷房効果の向上や冷却時間の短縮、省エネ、長寿命化につながり、また、エアコンの合理的な利用と標準化された管理を強化するための重要な部分でもある。今まで、エアコン利用者はエアコンのメンテナンスや洗浄を重視しておらず、これからは、当該分野を重視しつつ、エアコン産業の発展を促進すべきである。
しかし、エアコンにメンテナンスを行うとなると、基本的にはエアコンの本体カバーを取り外し、次にフィルターを取り外し、そしてフィルターとキャビネットとを洗浄する必要がある。これらの操作を全部手動で行う必要があるため、時間と手間がかかるだけでなく、また、エアコン内部にほこりが積もると、屋内にまで影響を及ぼし、その他、エアコンのキャビネットが高所に配置されているため、取り外しが非常に不便である。
【先行技術文献】
【特許文献】
【０００３】
【特許文献１】中国特許出願公開第１０２９８０２８８号明細書
【発明の概要】
【発明が解決しようとする課題】
【０００４】
本願は家事代行サービス会社向けのエアコン防塵機を提供し、従来技術における上記欠点を解消することを目的とする。
【課題を解決するための手段】
【０００５】
本願発明は以下の技術プランを通じて実現する。
【０００６】
本願発明の家事代行サービス会社向けのエアコン防塵機は、本体を含み、前記本体の右側には洗浄キャビネットが固定的に設置され、前記本体の底側にはベースが設置され、前記洗浄キャビネットの中には右方に開口した洗浄空間が設置され、前記洗浄空間の中にはフィルターを掴み取れるフック装置が設置され、前記フック装置は前記洗浄空間の左壁に固定的に装着された駆動モータを含み、前記駆動モータの中には親ねじスリーブが伝動可能に連結され、前記親ねじスリーブの中にはモータ親ねじがねじ山により連結され、前記モータ親ねじの右側には横移動ブロックが固定的に設置され、貫通空間が前記横移動ブロックを上下方向から貫通しており、前記貫通空間の前後壁には回転軸が上下対称になるように且つ回転可能に連結され、前記回転軸には回転歯車が上下対称になるように且つ固定的に連結され、各前記回転軸の前後側にはフックが対称になるように且つ固定的に設置され、前記貫通空間の左側にはスライド空間が設置され、前記横移動ブロックの右面と、前記貫通空間の左右壁と、前記スライド空間の右壁とが摺動可能な移動ラックによって連結され、前記移動ラックの右側には押しブロックが固定的に設置され、前記移動ラックが前記回転歯車と噛み合っており、前記移動ラックの左側には押し板が固定的に設置され、前記押し板は前記スライド空間の左壁及び前記横移動ブロックの左面とスライド可能に連結され、前記洗浄空間の底壁には洗い空間が設置され、前記洗い空間の中にはフィルターを洗浄する洗浄装置が設置され、前記洗浄空間の頂壁には頂壁空間が設置され、前記頂壁空間の頂側には連動空間が設置され、前記連動空間と前記頂壁空間との間にはエアコンを拭くことができる拭き装置が設置され、前記洗浄空間の左側には伝動空間が上下対称になるように設置され、前記洗浄空間の左壁には抽気溝が上下対称になるように形成され、二つの前記抽気溝の左側は埃空間と連通しており、前記埃空間と前記洗浄空間との間には除塵を行える抽気装置が設置され、前記洗浄空間の後側には後側空間が設置され、前記後側空間の中には駆動装置が設置され、前記駆動装置は前記抽気装置、前記拭き装置及び前記洗浄装置の作動を駆動でき、前記ベースの中には油タンクが設置され、前記油タンクの右壁は液圧管路と連通しており、前記液圧管路の左側は頂部空間と連通しており、前記頂部空間、前記油タンク及び前記本体の間には昇降装置が設置され、前記昇降装置は前記本体及び前記洗浄キャビネットの昇降を駆動できる。
【０００７】
上記の技術プランに基づき、前記洗浄装置は前記洗い空間の底側に設置された駆動空間を含み、前記駆動空間の後壁には伝動軸が回転可能に連結され、前記伝動軸の前側には第一自在継手が回転可能に連結され、前記第一自在継手の頂側には縦軸が回転可能に連結され、前記縦軸は前記駆動空間の頂壁及び前記洗い空間の底壁と回転可能に連結され、前記縦軸の頂側には洗浄桶が固定的に設置され、前記洗い空間の右壁には排水弁が固定的に設置されている。
【０００８】
上記の技術プランに基づき、前記拭き装置は前記連動空間の後壁に回転可能に装着された延伸軸を含み、前記延伸軸の前側には第二自在継手が回転可能に連結され、前記第二自在継手の底側には短軸が回転可能に連結され、前記短軸は前記連動空間の底壁及び前記頂壁空間の頂壁と回転可能に連結され、前記短軸の底側には前記頂壁空間とスライド可能に連結された楕円盤が回転可能に連結され、前記楕円盤の底側には下方に開口した楕円空間が設置され、前記頂壁空間の前後壁には連結スライドロッドが固定的に設置され、前記連結スライドロッドには拭きブロックが前後対称になるように且つスライド可能に連結され、前記拭きブロックの頂側には前記楕円空間とスライド可能に連結されたスライダが固定的に設置されている。
【０００９】
上記の技術プランに基づき、前記抽気装置は貫通軸を含み、前記貫通軸は前記伝動空間の後壁に上下対称になるように且つ回転可能に装着され、前記貫通軸の前側には第三自在継手が回転可能に連結され、前記第三自在継手の右側には横軸が回転可能に連結され、前記横軸は前記伝動空間の右壁及び前記洗浄空間の左壁と回転可能に連結され、前記横軸の右側には埃を抽出できるファンが固定的に設置され、前記埃空間の頂壁には取り外し可能な濾過蓋が設置されている。
【００１０】
上記の技術プランに基づき、前記駆動装置は前記後側空間の後壁に固定的に装着された動力モータを含み、前記延伸軸、前記貫通軸及び前記伝動軸は後方へ前記後側空間に伸びて前記後側空間の前壁と回転可能に連結され、前記伝動軸と前記動力モータとが伝動可能に連結され、前記延伸軸、前記貫通軸及び前記伝動軸がベルト機構によって連結されている。
【００１１】
上記の技術プランに基づき、前記昇降装置は前記油タンクの右壁に固定的に装着された油ポンプを含み、前記頂部空間の中には移動スライダがスライド可能に連結され、前記移動スライダの右面には前記液圧管路とスライド可能に連結された液圧スライドロッドが固定的に設置され、前記油タンクと前記液圧管路の中に作動油があり、前記移動スライダ及び前記ベースの頂面が前記本体の底面と昇降棒により連結されている。
【発明の効果】
【００１２】
本願発明はエアコンとエアコンに設置されたフィルターに洗浄と拭きとを行え、エアコンを拭く時に、人は椅子に立つ必要がなく、即ち拭き作業の危険性を下げられ、また、フィルターを洗浄する前に自動的にフィルターを取り外すことができ、手動でフィルターを取り外す必要がなく、また、フィルターの取り外しとエアコンの洗浄はいずれも密閉環境で行われるため、ホコリの飛び散ることを回避でき、エアコンを洗浄する時に埃による屋内への汚染も防止でき、その他、高さを自動的に調整することで、配置高さの異なるエアコンに適用できる。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の全体断面の正面構成模式図
【図２】図２は図１におけるＡの部分拡大図
【図３】図３は図１の後方の断面正面図
【図４】図４は図１におけるＢ―Ｂ方向からの断面図
【図５】図５は図２における横移動ブロックの側面図
【図６】図６は図１における楕円盤の底面図
【発明を実施するための形態】
【００１５】
図１〜６を参照し、本願発明の家事代行サービス会社向けのエアコン防塵機は、本体２１を含み、前記本体２１の右側には洗浄キャビネット３１が固定的に設置され、前記本体２１の底側にはベース６３が設置され、前記洗浄キャビネット３１の中には右方に開口した洗浄空間３６が設置され、前記洗浄空間３６の中にはフィルターを掴み取れるフック装置１０１が設置され、前記フック装置１０１は前記洗浄空間３６の左壁に固定的に装着された駆動モータ２２を含み、前記駆動モータ２２の中には親ねじスリーブ２３が伝動可能に連結され、前記親ねじスリーブ２３の中にはモータ親ねじ２４がねじ山により連結され、前記モータ親ねじ２４の右側には横移動ブロック６６が固定的に設置され、貫通空間７３が前記横移動ブロック６６を上下方向から貫通しており、前記貫通空間７３の前後壁には回転軸６９が上下対称になるように且つ回転可能に連結され、前記回転軸６９には回転歯車６７が上下対称になるように且つ固定的に連結され、各前記回転軸６９の前後側にはフック７０が対称になるように且つ固定的に設置され、前記貫通空間７３の左側にはスライド空間５７が設置され、前記横移動ブロック６６の右面と、前記貫通空間７３の左右壁と、前記スライド空間５７の右壁とが摺動可能な移動ラック７２によって連結され、前記移動ラック７２の右側には押しブロック７１が固定的に設置され、前記移動ラック７２が前記回転歯車６７と噛み合っており、前記移動ラック７２の左側には押し板６８が固定的に設置され、前記押し板６８は前記スライド空間５７の左壁及び前記横移動ブロック６６の左面とスライド可能に連結され、前記洗浄空間３６の底壁には洗い空間５０が設置され、前記洗い空間５０の中にはフィルターを洗浄する洗浄装置１０２が設置され、前記洗浄空間３６の頂壁には頂壁空間２９が設置され、前記頂壁空間２９の頂側には連動空間７７が設置され、前記連動空間７７と前記頂壁空間２９との間にはエアコンを拭くことができる拭き装置１０３が設置され、前記洗浄空間３６の左側には伝動空間２７が上下対称になるように設置され、前記洗浄空間３６の左壁には抽気溝９０が上下対称になるように形成され、二つの前記抽気溝９０の左側は埃空間２５と連通しており、前記埃空間２５と前記洗浄空間３６との間には除塵を行える抽気装置１０４が設置され、前記洗浄空間３６の後側には後側空間８９が設置され、前記後側空間８９の中には駆動装置１０５が設置され、前記駆動装置１０５は前記抽気装置１０４、前記拭き装置１０３及び前記洗浄装置１０２の作動を駆動でき、前記ベース６３の中には油タンク６１が設置され、前記油タンク６１の右壁は液圧管路５８と連通しており、前記液圧管路５８の左側は頂部空間６２と連通しており、前記頂部空間６２、前記油タンク６１及び前記本体２１の間には昇降装置１０６が設置され、前記昇降装置１０６は前記本体２１及び前記洗浄キャビネット３１の昇降を駆動できる。
【００１６】
前記洗浄装置１０２は前記洗い空間５０の底側に設置された駆動空間５３を含み、前記駆動空間５３の後壁には伝動軸５５が回転可能に連結され、前記伝動軸５５の前側には第一自在継手５４が回転可能に連結され、前記第一自在継手５４の頂側には縦軸５６が回転可能に連結され、前記縦軸５６は前記駆動空間５３の頂壁及び前記洗い空間５０の底壁と回転可能に連結され、前記縦軸５６の頂側には洗浄桶５２が固定的に設置され、前記洗い空間５０の右壁には排水弁５１が固定的に設置され、
前記伝動軸５５が回転すると、前記第一自在継手５４、前記縦軸５６及び前記洗浄桶５２を回転させることで、前記洗浄桶５２の中のフィルターが洗浄され、前記排水弁５１を作動させることで、前記洗い空間５０の中の水を排出する。
【００１７】
前記拭き装置１０３は前記連動空間７７の後壁に回転可能に装着された延伸軸７８を含み、前記延伸軸７８の前側には第二自在継手７９が回転可能に連結され、前記第二自在継手７９の底側には短軸８０が回転可能に連結され、前記短軸８０は前記連動空間７７の底壁及び前記頂壁空間２９の頂壁と回転可能に連結され、前記短軸８０の底側には前記頂壁空間２９とスライド可能に連結された楕円盤３０が回転可能に連結され、前記楕円盤３０の底側には下方に開口した楕円空間３２が設置され、前記頂壁空間２９の前後壁には連結スライドロッド３４が固定的に設置され、前記連結スライドロッド３４には拭きブロック３５が前後対称になるように且つスライド可能に連結され、前記拭きブロック３５の頂側には前記楕円空間３２とスライド可能に連結されたスライダ３３が固定的に設置され、
前記延伸軸７８が回転すると、前記第二自在継手７９、前記短軸８０及び前記楕円盤３０を回転させ、前記楕円空間３２により前記スライダ３３及び前記拭きブロック３５が駆動されて左右に往復運動し、エアコンの上面と側面とをきれいに拭く。
【００１８】
前記抽気装置１０４は貫通軸３９を含み、前記貫通軸３９は前記伝動空間２７の後壁に上下対称になるように且つ回転可能に装着され、前記貫通軸３９の前側には第三自在継手２８が回転可能に連結され、前記第三自在継手２８の右側には横軸３７が回転可能に連結され、前記横軸３７は前記伝動空間２７の右壁及び前記洗浄空間３６の左壁と回転可能に連結され、前記横軸３７の右側には埃を抽出できるファン３８が固定的に設置され、前記埃空間２５の頂壁には取り外し可能な濾過蓋２６が設置され、
前記貫通軸３９が回転すると、前記第三自在継手２８、前記横軸３７及び前記ファン３８を回転させ、前記洗浄空間３６の中の埃が前記抽気溝９０から前記埃空間２５の中に吸い込まれる。
【００１９】
前記駆動装置１０５は前記後側空間８９の後壁に固定的に装着された動力モータ７５を含み、前記延伸軸７８、前記貫通軸３９及び前記伝動軸５５は後方へ前記後側空間８９に伸びて前記後側空間８９の前壁と回転可能に連結され、前記伝動軸５５と前記動力モータ７５とが伝動可能に連結され、前記延伸軸７８、前記貫通軸３９及び前記伝動軸５５がベルト機構７６によって連結され、
前記動力モータ７５を作動させることで、前記伝動軸５５が回転し、前記ベルト機構７６により前記貫通軸３９及び前記延伸軸７８が回転する。
【００２０】
前記昇降装置１０６は前記油タンク６１の右壁に固定的に装着された油ポンプ５９を含み、前記頂部空間６２の中には移動スライダ６４がスライド可能に連結され、前記移動スライダ６４の右面には前記液圧管路５８とスライド可能に連結された液圧スライドロッド６０が固定的に設置され、前記油タンク６１と前記液圧管路５８の中に作動油があり、前記移動スライダ６４及び前記ベース６３の頂面が前記本体２１の底面と昇降棒６５により連結され、
前記油ポンプ５９を作動させ、前記液圧管路５８の中の作動油が前記油タンク６１の中に吸い込まれ、前記液圧スライドロッド６０及び前記移動スライダ６４が連動して右方へ移動し、前記昇降棒６５により前記本体２１及び前記洗浄キャビネット３１が上昇する。
【００２１】
初期状態において、前記本体２１が最下にあり、前記洗い空間５０の中に洗浄剤と清水があり、前記モータ親ねじ２４が最左にあり、エアコンの本体カバーが取り外され、フィルターが露出している。
【００２２】
エアコンに洗浄を行うには、まず油ポンプ５９を作動させ、液圧管路５８の中の作動油が油タンク６１の中に吸い込まれ、液圧スライドロッド６０及び移動スライダ６４が連動して右方へ移動し、昇降棒６５により本体２１及び洗浄キャビネット３１が上昇し、そして洗浄キャビネット３１がエアコンと水平になり、本体２１を移動させることで、洗浄キャビネット３１の右面を壁と当接させ、且つ拭きブロック３５をエアコンの頂面及び左面と当接させ、ここでは拭きブロック３５が連結スライドロッド３４において前後方向の端に位置し、フィルターと接触していなく、続いて駆動モータ２２を作動させることで、親ねじスリーブ２３が回転し、モータ親ねじ２４及び横移動ブロック６６を右方へ移動させ、押しブロック７１がフィルターと当接したら、押しブロック７１が移動ラック７２及び押し板６８を左方へ移動させ、回転歯車６７及び回転軸６９が回転し、フック７０が回転し、フィルターがフック７０に引掛り、ここで駆動モータ２２を逆回転させ、親ねじスリーブ２３により親ねじスリーブ２３及び回転歯車６７が左方へ移動し、押し板６８が洗浄空間３６の左壁と当接したら、移動ラック７２及び押しブロック７１を右方へ移動させ、回転軸６９、回転歯車６７及びフック７０を逆回転させることで、フィルターを放し、フィルターが洗い空間５０にある洗浄桶５２に落下し、そして動力モータ７５を作動させることで、伝動軸５５が回転し、ベルト機構７６により貫通軸３９と延伸軸７８を連動させて回転させ、従って伝動軸５５が回転し、さらに第一自在継手５４、縦軸５６及び洗浄桶５２を回転させ、洗浄桶５２の中のフィルターが洗浄され、貫通軸３９が回転したら、第三自在継手２８、横軸３７及びファン３８を回転させ、洗浄空間３６の中の埃が抽気溝９０から埃空間２５の中に吸い込まれ、延伸軸７８が回転したら、第二自在継手７９、短軸８０及び楕円盤３０を回転させ、楕円空間３２によりスライダ３３及び拭きブロック３５が駆動されて左右に往復運動し、エアコンの上面と側面とをきれいに拭く。
【００２３】
以上の方式により、当該分野の従業員は本願発明の範囲内で作業状況に応じて様々な改変を加えることができる。
【要約】
【課題】本願は家事代行サービス会社向けのエアコン防塵機を開示した。
【解決手段】
本願発明の家事代行サービス会社向けのエアコン防塵機は、本体を含み、前記本体の右側には洗浄キャビネットが固定的に設置され、前記本体の底側にはベースが設置され、本願発明はエアコンとエアコンに設置されたフィルターに洗浄と拭きとを行え、エアコンを拭く時に、人は椅子に立つ必要がなく、即ち拭き作業の危険性を下げられ、また、フィルターを洗浄する前に自動的にフィルターを取り外すことができ、手動でフィルターを取り外す必要がなく、また、フィルターの取り外しとエアコンの洗浄はいずれも密閉環境で行われるため、ホコリの飛び散ることを回避でき、エアコンを洗浄する時に埃による屋内への汚染も防止でき、その他、高さを自動的に調整することで、配置高さの異なるエアコンに適用できる。
【選択図】図１【図１】
0006859527.tif 000002
【図２】
0006859527.tif 000003
【図３】
0006859527.tif 000004
【図４】
0006859527.tif 000005
【図５】
0006859527.tif 000006
【図６】
0006859527.tif 000007